【手続補正書】
【提出日】平成22年7月16日(2010.7.16)
【手続補正１】
【補正対象書類名】特許請求の範囲
【補正対象項目名】全文
【補正方法】変更
【補正の内容】
【特許請求の範囲】
【請求項１】
少なくともシアン、マゼンタ、イエロ、ブラックの４色の記録剤を使用して印字する画像データを作成する作成手段と、
前記４色の記録剤以外の特殊記録剤を使用して印字するパターンを作成し、保存する保存手段とを有し、
前記保存手段により保存されたパターンを選択する選択手段と、
前記選択手段により選択されたパターンを２値化して、前記特殊記録剤を用いて印字を行う位置を示す位置情報を生成する生成手段と、
前記生成手段により生成された位置情報を、前記画像データの属性情報として画像データに付随する付随手段と、
前記付随手段により付随された位置情報が示す位置に、前記特殊記録剤を使用して印字するパターンの出力をすることを特徴とする画像処理装置。
【請求項２】
前記保存手段により保存されているパターンに関する情報を表示する表示手段を有し、前記選択手段は、前記表示手段により表示された情報から、前記特殊記録剤を使用して出力するパターンを選択することを特徴とする請求項１に記載の画像処理装置。
【請求項３】
前記生成手段により生成された画像データを、前記４色の記録剤を用いて出力する際、前記選択手段は、該出力が行われる用紙に対して全面に特殊記録剤を用いた出力を行うか、該出力が行われる用紙に対して前記位置情報により示された位置にのみ特殊記録剤を用いた出力を行うか選択することを特徴とする請求項１に記載の画像処理装置。
【請求項４】
前記選択手段により、前記特殊記録剤を用いて出力を行うパターンを選択すると、該特殊記録剤を用いて出力を行うパターンと、前記４色の記録剤を用いて出力を行う画像データとを重ねて画面に表示する表示手段を有し、
前記表示手段により表示を行う際には、前記特殊記録剤を用いて出力を行うパターンに対応する部分は縁取りされて表示されることを特徴とする請求項１に記載の画像処理装置。
【請求項５】
前記特殊記録剤が透明記録剤であることを特徴とした請求項１に記載された画像処理装置。
【請求項６】
前記選択手段において、特殊記録剤の色を選択する請求項１に記載された画像処理装置。
【請求項７】
前記選択手段により複数のパターンを選択し、該複数のパターンを出力する際に用いる各々の特殊記録剤の色を指定した場合、該各々の色が指定された特殊記録剤を用いて出力されるパターンが重なる際は、特殊記録剤の優先順位に従って、前記各々の色が指定された特殊記録剤を用いて出力されるパターンが重ならないように制御することを特徴とする請求項１に記載された画像処理装置。
【請求項８】
前記特殊記録剤の優先順位を決める決定手段を具備することを特徴とする請求項１に記載された画像処理装置。
【請求項９】
前記選択手段により選択されたパターンが印字された結果をプレビューするプレビュー手段と、前記プレビュー手段において、特殊記録剤として透明記録剤を用いる場合は、該パターンは縁取って表現され、特殊記録剤としてそれ以外の記録剤を用いる場合は、該特殊記録剤の色でパターンをプレビューすることを特徴とする請求項１に記載された画像処理装置。
【請求項１０】
少なくともシアン、マゼンタ、イエロ、ブラックの４色の記録剤を使用して印字する画像データを作成する作成ステップと、
前記４色の記録剤以外の特殊記録剤を使用して印字するパターンを作成し、保存する保存ステップとを有し、前記保存ステップにより保存されたパターンを選択する選択ステップと、
前記選択ステップにより選択されたパターンを２値化して、前記特殊記録剤を用いて印字を行う位置を示す位置情報を生成する生成ステップと、
前記生成ステップにより生成された位置情報を、画像データの属性情報として画像データに付随する付随ステップと、
前記付随ステップにより付随された位置情報にが示す位置に、前記特殊記録剤を使用して印字するパターンの出力をすることを特徴とする画像処理装置。
【請求項１１】
前記保存ステップにより保存されているパターンに関する情報を表示する表示手段を有し、前記選択ステップは、前記表示手段により表示された情報から、前記特殊記録剤を使用して出力するパターンを選択することを特徴とする請求項１０に記載の画像処理方法。
【請求項１２】
前記生成ステップにより生成された画像データを、前記４色の記録剤を用いて出力する際、前記選択ステップは、該出力が行われる用紙に対して全面に特殊記録剤を用いた出力を行うか、該出力が行われる用紙に対して前記位置情報により示された位置にのみ特殊記録剤を用いた出力を行うか選択することを特徴とする請求項１０に記載の画像処理方法。
【請求項１３】
前記選択ステップにより、前記特殊記録剤を用いて出力を行うパターンを選択すると、該特殊記録剤を用いて出力を行うパターンと、前記４色の記録剤を用いて出力を行う画像データとを重ねて画面に表示する表示手段を有し、
前記表示手段により表示を行う際には、前記特殊記録剤を用いて出力を行うパターンに対応する部分は縁取りされて表示されることを特徴とする請求項１０に記載の画像処理方法。
【請求項１４】
前記特殊記録剤が透明記録剤であることを特徴とした請求項１０に記載された画像処理方法。
【請求項１５】
前記選択ステップにおいて、特殊記録剤の色を選択する請求項１０に記載された画像処理方法。
【請求項１６】
前記選択ステップにより複数のパターンを選択し、該複数のパターンを出力する際に用いる際に使用する各々の特殊記録剤の色を指定した場合、該各々の色が指定された特殊記録剤を用いて出力されるパターン重なる際は、特殊記録剤の優先順位に従って、前記各々の色が指定された特殊記録剤を用いて出力されるパターンが重ならないように制御することを特徴とする請求項１０に記載された画像処理方法。
【請求項１７】
前記特殊記録剤の優先順位を決める優先順位決定ステップを具備することを特徴とする請求項１０に記載された画像処理方法。
【請求項１８】
前記選択ステップにより選択されたパターンが印字された結果をプレビューするレビュー手段を有し、
前記プレビュー手段において、特殊記録剤として透明記録剤を用いる場合は、該パターンは縁取って表現され、特殊記録剤としてそれ以外の記録剤を用いる場合は、該特殊記録剤の色でパターンをプレビューすることを特徴とする請求項１０に記載された画像処理方法。
【手続補正２】
【補正対象書類名】明細書
【補正対象項目名】００１０
【補正方法】変更
【補正の内容】
【００１０】
上記課題を解決するために本発明は、少なくともシアン、マゼンタ、イエロ、ブラックの４色の記録剤を使用して印字する画像データを作成する作成手段と、前記４色の記録剤以外の特殊記録剤を使用して印字するパターンを作成し、保存する保存手段とを有し、前記保存手段により保存されたパターンを選択する選択手段と、前記選択手段により選択されたパターンを２値化して、前記特殊記録剤を用いて印字を行う位置を示す位置情報を生成する生成手段と、前記生成手段により生成された位置情報を、前記画像データの属性情報として画像データに付随する付随手段と、前記付随手段により付随された位置情報が示す位置に、前記特殊記録剤を使用して印字するパターンの出力をすることを特徴とすることを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】